(57)【要約】【課題】  所定の色を発色する際に定着処理を並行して行なっても感熱紙の位置を確実に検知するフォトプリンタ装置を提供する。【解決手段】  フォトプリンタ装置１では、感熱紙１４が載置されるガラス板２上に発色処理を施すためのサーマルヘッド４が配設されている。ガラス板２の上方には感熱紙１４の幅方向の端部の位置を検出するためのＣＣＤセンサ１０が配設されている。そのＣＣＤセンサ１０のセンサ本体１０ａの表面には、センサ本体１０ａに内蔵されたＬＥＤから発せられる光を透過し、マゼンタランプ６から発せられる光を遮蔽するフィルタ１０ｂが装着されている。一方、ガラス板２の下方には、発色したイエローを定着させるためのイエローランプ８と、マゼンタを定着させるためのマゼンタランプ６がそれぞれ配設されている。【選択図】        図１
2005349649.tif 000002
【特許請求の範囲】
【請求項１】
所定の感熱紙に対してイエロー、マゼンタおよびシアンをそれぞれ発色させるためのサーマルヘッドと、
イエローの発色処理が施された感熱紙に所定の光を照射することによってイエローの定着処理を施すための第１のランプと、
マゼンタの発色処理が施された感熱紙に所定の光を照射することによってマゼンタの定着処理を施すための第２のランプと、
感熱紙に所定の光をあて感熱紙によって反射される反射光を検知することにより、感熱紙の幅方向の位置を検出するためのＣＣＤセンサと、
前記ＣＣＤセンサの表面に装着され、前記ＣＣＤセンサから感熱紙に向かって発せられる光を透過させ、前記第２のランプから発せられる光を遮るフィルタと
を備えた、フォトプリンタ装置。
【請求項２】
感熱紙にカラー画像を印画するためのフォトプリンタ装置であって、
所定の色の発色処理が施された感熱紙に定着処理を施すための第１の波長の光を発する光源部と、
感熱紙に第１の波長とは異なる第２の波長の光を照射し、感熱紙によって反射された反射光を検出することにより感熱紙の位置を検出するためのセンサ部と、
前記センサ部と感熱紙との間に配設され、前記第１の波長の光を遮り、前記第２の波長の光を透過させるフィルタ部と
を備えた、フォトプリンタ装置。
【請求項３】
感熱紙ではイエロー、マゼンタおよびシアンが順次発色され、
前記光源部は、マゼンタの発色処理を施した後シアンの発色処理を施す前と、シアンの発色処理を施す際にそれぞれ点燈して、シアンの発色処理と並行してマゼンタの定着処理を施すよう構成された、請求項２記載のフォトプリンタ装置。
【請求項４】
前記センサ部は感熱紙の幅方向の端部を検出する位置に配置された、請求項２または３に記載のフォトプリンタ装置。
【請求項５】
前記フィルタ部は前記センサ部の表面に装着された、請求項２〜４のいずれかに記載のフォトプリンタ装置。
【発明の詳細な説明】
【技術分野】
【０００１】
本発明はフォトプリンタ装置に関し、特に、感熱式のフォトプリンタ装置に関するものである。
【背景技術】
【０００２】
フォトプリンタ装置の一形態に感熱式のフォトプリンタ装置がある。この種のフォトプリンタ装置では、所定の用紙（感熱紙）にサーマルヘッドの加熱による発色処理と所定の波長の光の照射による定着処理を繰り返すことによってカラーの画像が印画される。感熱紙には、所定の支持体層上にそれぞれ熱感度の異なるイエロー（Ｙｅｌｌｏｗ）、マゼンタ（Ｍａｇｅｎｔａ）およびシアン（Ｃｙａｎ）の発色層が積層されている。
【０００３】
感熱紙にそれぞれの色を発色させて定着するために、感熱紙は、サーマルヘッドに圧着される位置と所定の波長の光が照射される位置との間を往復動することになる。
【０００４】
そのような往復動する感熱紙の位置を検知するためにＣＣＤ（電荷結合素子：Charge-Coupled Device）センサが使用される。図６に示すように、感熱紙１１４は、ケース部材１０９とガラス板１０２との間を所定の向き（紙面に向かって垂直方向）に往復動することになる。ＣＣＤセンサ１１０は、感熱紙１１４の幅方向の両端部を検出するように、ケース部材１０９の所定の位置に装着されている。ガラス板１０２の下方にはマゼンタの定着のためのランプ（以下、「マゼンタランプ」と記す。）１０８と、イエローの定着のためのランプ（以下、「イエローランプ」と記す。）が配設されている。
【０００５】
図７に示すように、ＣＣＤセンサ１１０に内蔵された図示されないＬＥＤ（Light-Emitting Diode）から発せられる光は、矢印３１に示すようにＣＣＤセンサ１０の下方に向かって出射される。ＣＣＤ１１０から出射する光のうち、感熱紙１１４が位置している部分に照射された光は、感熱紙１１４によって矢印３２に示すようにＣＣＤセンサ１１０の側に向かって反射される。反射した光は、ＣＣＤセンサ１１０に内蔵された図示されない受光素子によって検知される。
【０００６】
一方、ＣＣＤ１１０から出射する光のうち、感熱紙１１４が位置していない部分に照射された光は、感熱紙１１４によって反射されることなく下方に向かって進むため、この位置に照射された光はＣＣＤセンサ１１０によって検知されることはない。
【０００７】
このようにして、感熱紙１１４が位置している部分では反射光が検知され、感熱紙が位置していない部分では反射光が検知されないことで、ＣＣＤセンサ１１０から出力される反射光の強度に基づいた電圧波形は、図７に示すように、階段状の波形１５１となる。階段状の波形１５１において、波形が立ち上がっている位置が、感熱紙１１４の幅方向端部として検知されることになる。
【０００８】
感熱紙にそれぞれの色を発色させて定着させるには、まず、イエロー（Ｙ）の発色処理が施され、その後、イエローランプによって定着処理が施される。次に、マゼンタ（Ｍ）の発色処理が施され、その後、マゼンタランプによって定着処理が施される。このとき、マゼンタランプによる定着時間は、本来の定着に必要な時間よりも短くされる。また、イエローとマゼンタの発色処理が施されている間は、イエローランプおよびマゼンタランプとも点燈されない。
【０００９】
次に、シアン（Ｃ）の発色処理が施される。このシアンを発色させる際には、同時にマゼンタを定着させるためにマゼンタランプが点燈される。すなわち、本来マゼンタを定着するのに必要な定着時間からすでに行なわれたマゼンタの定着時間を差し引いた残りの時間分の定着処理が施される。このようにして、シアンの発色処理とマゼンタの定着処理を並行して行なうことで印画に必要な時間の短縮が図られる。
【００１０】
なお、用紙の位置を検知する手法としては、以上のような手法の他に、たとえば特許文献１に記載された手法も提案されている。
【特許文献１】特開平０８−１３９８４８号公報
【発明の開示】
【発明が解決しようとする課題】
【００１１】
しかしながら、上述したフォトプリンタ装置におけるＣＣＤセンサを用いた感熱紙の位置の検出では、次のような問題点があった。
【００１２】
上述したように、シアンの発色処理を施す際に同時にマゼンタの定着処理も施されることになる。シアンの発色処理においては、図８に示すように、マゼンタランプ１０６が点燈した状態で行なわれる。このとき、特に、感熱紙１１４の端部では、マゼンタランプから発せられる光が感熱紙１１４とＣＣＤセンサ１１０との間に入り込み、入り込んだ光は感熱紙１１４によって反射されて、ＬＥＤから発せられて反射した光とともにＣＣＤセンサ１１０に内蔵された受光素子によって検知される。
【００１３】
そのため、ＣＣＤセンサ１１０から出力される反射光の強度に基づいた電圧波形は、図８に示す枠Ａ内に示されるように、感熱紙１１４の端部に対応する立ち上がり部分が本来の位置よりも内側にシフト（ｓ）した位置にピークをもつ電圧波形１５２として観測される。
【００１４】
これによって、フォトプリンタ装置では、感熱紙１１４の位置（幅方向両端部）が実際の位置よりも内側に位置していると認識してしまう。そのため、シアンの発色処理の際には、シフトしたピークの位置に対応する分だけ感熱紙の内側の領域だけが発色されて両端部の領域部分は発色されないことになる。その結果、図９に示すように、領域Ｒ２ではイエロー，マゼンタ，シアンの発色が行なわれているものの、領域Ｒ１ではイエローとマゼンタだけが発色してシアンは発色せず、したがって、青色が抜けた状態で印画が完了することとなった。
【００１５】
このような、シアンの発色処理の際にマゼンタランプの反射光がＣＣＤセンサに検知されるのを抑制しようとして、ＣＣＤセンサにカプトン（商標登録）テープを貼り付けているが決して十分な効果が得られていない。
【００１６】
本発明は上記問題点を解決するためになされたものであり、その目的は、所定の色を発色する際に定着処理を並行して行なっても感熱紙の位置を確実に検知するフォトプリンタ装置を提供することである。
【課題を解決するための手段】
【００１７】
本発明に係るフォトプリンタ装置は、サーマルヘッドと第１のランプと第２のランプとＣＣＤセンサとフィルタとを備えている。サーマルヘッドは、所定の感熱紙に対してイエロー、マゼンタおよびシアンをそれぞれ発色させる。第１のランプの発する光をイエローの発色処理が施された感熱紙に照射することによって、イエローの定着処理が施される。第２のランプの発する光をマゼンタの発色処理が施された感熱紙に照射することによって、マゼンタの定着処理が施される。ＣＣＤセンサは、感熱紙に所定の光をあて感熱紙によって反射される反射光を検知することにより、感熱紙の幅方向の位置を検出する。フィルタは、ＣＣＤセンサの表面に装着され、ＣＣＤセンサから感熱紙に向かって発せられる光を透過させ、第２のランプから発せられる光を遮る。
【００１８】
この構成によれば、ＣＣＤセンサの表面にフィルタが装着されていることで、シアンの発色処理とマゼンタの定着処理とを同時に施す場合に、感熱紙の端部では、第２のランプから発せられて感熱紙によって反射された光がＣＣＤセンサによって検知されることがなくなって、ＣＣＤセンサから出力される電圧波形が本来の感熱紙の端部の位置からシフトした電圧波形として観測されることがなくなる。これにより、本来の感熱紙の端部の位置に対応した階段状の電圧波形が観測されることになる。その結果、感熱紙の端部の位置が正確に把握されて、従来のフォトプリンタ装置のように、シアンの発色処理の際に感熱紙の内側の領域だけ発色されて両端部の領域部分は発色されないような状況がなくなって、印画領域に鮮明にカラー画像を印画することができる。
【００１９】
本発明に係る他のフォトプリンタ装置は、感熱紙にカラー画像を印画するためのフォトプリンタ装置であって、光源部とセンサ部とフィルタ部とを備えている。光源部は、所定の色の発色処理が施された感熱紙に定着処理を施すための第１の波長の光を発する。センサ部は、感熱紙に第１の波長とは異なる第２の波長の光を照射し、感熱紙によって反射された反射光を検出することにより感熱紙の位置を検出する。フィルタ部は、センサ部と感熱紙との間に配設され、第１の波長の光を遮り第２の波長の光を透過させる。
【００２０】
この構成によれば、センサ部と感熱紙との間にフィルタ部が配設されていることで、所定の色の発色処理と他の発色した色の定着処理とを同時に施す場合に、感熱紙の端部では、光源部から発せられて感熱紙によって反射された光がセンサ部によって検知されることがなくなって、センサ部から出力される電圧波形が本来の感熱紙の端部の位置からシフトした電圧波形として観測されることがなくなる。その結果、感熱紙の端部の位置が正確に把握されて、印画領域に鮮明にカラー画像を印画することができる。
【００２１】
その感熱紙ではイエロー、マゼンタおよびシアンが順次発色され、光源部は、マゼンタの発色処理を施した後シアンの発色処理を施す前と、シアンの発色処理を施す際にそれぞれ点燈して、シアンの発色処理と並行してマゼンタの定着処理を施すよう構成されていることが好ましい。
【００２２】
これにより、印画のための時間を短縮することができる。
【００２３】
また、感熱紙の幅方向の位置を把握するためにセンサ部は感熱紙の幅方向の端部を検出する位置に配置されていることが好ましい。
【００２４】
さらに、フィルタ部を比較的容易に装着するために、フィルタ部はセンサ部の表面に装着されていることが好ましい。
【発明を実施するための最良の形態】
【００２５】
本発明の実施の形態に係るフォトプリンタ装置について説明する。図１および図２に示すように、フォトプリンタ装置１では、感熱紙１４が載置されるガラス板２上に発色処理を施すためのサーマルヘッド４が配設されている。感熱紙１４は、ガラス板２とサーマルヘッド４との間を搬送される。
【００２６】
また、ガラス板２の上方には感熱紙１４の幅方向の端部の位置を検出するためのＣＣＤセンサ１０が配設されている。そのＣＣＤセンサ１０のセンサ本体１０ａの表面には、センサ本体１０ａに内蔵されたＬＥＤ（図示せず）から発せられる光（波長５７０ｎｍ）を透過し、後述するマゼンタランプ６から発せられる光（波長４５０ｎｍ）を遮蔽するフィルタ１０ｂが装着されている。ＣＣＤセンサ１０は感熱紙１４の幅方向の端部を検出するようにケース部材９の所定の位置に装着されている。
【００２７】
一方、ガラス板２の下方には、発色したイエローを定着させるためのイエローランプ（波長４１９ｎｍ）８と、マゼンタを定着させるためのマゼンタランプ６がそれぞれ配設されている。また、ガラス板２とイエローランプ８またはマゼンタランプ６との間には、定着処理を施す際に発色処理が施された感熱紙の所定の領域以外の領域へ、イエローランプ８またはマゼンタランプ６から発せられる光が照射されないように、感熱紙１４の動きに合わせてスライドして光を遮るための遮蔽板１２が設けられている。
【００２８】
次に、上述したフォトプリンタ装置の動作について説明する。図３に示すように、感熱紙１４において印画を行なう印画領域を矢印２１に示す方向に一旦引き出し、次に、引き出された感熱紙１４の印画領域を矢印２２に示す方向に戻しながらサーマルヘッド４によってイエローの発色処理が施される。次に、イエローランプ８を点燈し、感熱紙１４を矢印２１に示す方向に引き出しながらイエローランプ８から発せられる光を感熱紙１４に照射することによってイエローの定着処理が施される。イエローの定着処理が完了すると、イエローランプ８がオフされる。
【００２９】
次に、感熱紙１４の印画領域を矢印２２に示す方向に戻しながらサーマルヘッド４によってマゼンタの発色処理が施される。次に、マゼンタランプ６を点燈し、感熱紙１４を矢印２１に示す方向に引き出しながらマゼンタランプ６から発せられる光を感熱紙に照射することによってマゼンタの定着処理が施される。
【００３０】
このマゼンタの定着処理では印画時間を短縮するために、マゼンタを定着するのに必要とされる時間のうちの所定の時間分（第１段階）だけを行い、残りの時間分（第２段階）の定着処理はシアンの発色処理と並行して行なわれる。
【００３１】
すなわち、第１段階のマゼンタの定着処理が完了すると、感熱紙１４の印画領域を矢印２２に示す方向に戻しながらサーマルヘッド４によってシアンの発色処理が施され、このとき、同時に残りの第２段階のマゼンタの定着処理が施される。シアンの発色処理とマゼンタの定着処理が完了すると、感熱紙の印画領域がフォトプリンタ装置の外へ排出される。
【００３２】
なお、シアンの定着処理は自然光によって行なわれることになる。また、イエローランプ８またはマゼンタランプ６によって定着処理を施す際には、印画領域以外の感熱紙の領域に光が照射されないように、遮蔽板１２が感熱紙１４の動きに合わせて印画領域以外の領域を覆うようにスライド（矢印２３，２４）することになる。
【００３３】
このように、感熱紙にカラー印画を行なうのに、感熱紙１４はサーマルヘッド４とイエローランプ８およびマゼンタランプ６との間を往復動する。このような感熱紙１４の往復動において、搬送方向の位置は感熱紙１４を搬送する駆動モータの駆動量によって把握される。一方、感熱紙１４の送り方向と直交する方向（幅方向）の位置はＣＣＤセンサ１０によって検出される。
【００３４】
図５に示すように、ＣＣＤセンサ１０に内蔵されたＬＥＤ（図示せず）から発せられる光は、矢印３１に示すようにＣＣＤセンサ１０の下方に向かって出射される。ＣＣＤ１０から出射する光のうち、感熱紙１４が位置している部分に照射された光は、感熱紙１４によって矢印３２に示すようにＣＣＤセンサ１０の側に向かって反射される。反射した光は、ＣＣＤセンサ１０に内蔵された受光素子（図示せず）によって検知される。
【００３５】
一方、ＣＣＤ１０から出射する光のうち、感熱紙１４が位置していない部分に照射された光は、感熱紙１４によって反射されることなく下方に向かって進むため、この位置に照射された光はＣＣＤセンサ１０によって検知されることはない。
【００３６】
上述したフォトプリンタ装置では、サーマルヘッド４によってシアンの発色処理が施される際に、残りのマゼンタの定着処理も同時に施されるため、シアンの発色処理においては、図５に示すように、マゼンタランプ６が点燈した状態で行なわれる。このとき、感熱紙１４の端部では、マゼンタランプ６から発せられる光（矢印４１）が感熱紙１４とＣＣＤセンサ１０との間に入り込み、入り込んだ光は感熱紙１４によってＣＣＤセンサ１０に向かって反射されることになる。
【００３７】
そのＣＣＤ１０では、センサ本体１０ａの表面にフィルタ１０ｂが装着されている。フィルタ１０ｂは、センサ本体１０ａから発せられる光を透過し、マゼンタランプ６から発せられる光を遮蔽する機能を有している。これにより、マゼンタランプ６から発せられて感熱紙１４とＣＣＤセンサ１０との間に入り込んだ光が感熱紙１４によってＣＣＤセンサ１０に向かって反射されたとしても、その反射した光はフィルタ１０ｂによって遮蔽されてセンサ本体１０ａの内蔵された受光素子にまで到達することはない。
【００３８】
このようにして、感熱紙１４の端部では、マゼンタランプ６から発せられて感熱紙によって反射された光がＣＣＤセンサ１０によって検知されることがなくなる。このような反射した光が検知されなくなることで、従来のフォトプリンタ装置のように、そのような反射した光がＣＣＤセンサ１０によって検知されることに起因して、ＣＣＤセンサ１０から出力される電圧波形が本来の感熱紙の端部の位置からシフトした電圧波形として観測されることがなくなる。これにより、図５に示すように、本来の感熱紙１４の端部の位置に対応した階段状の電圧波形５１が観測されることになる。
【００３９】
その結果、感熱紙１４の端部の位置が正確に把握されて、従来のフォトプリンタ装置のように、シアンの発色処理の際に感熱紙の内側の領域だけ発色されて両端部の領域部分は発色されないような状況がなくなって、印画領域に鮮明にカラー画像を印画することができる。
【００４０】
なお、上述したフォトプリンタ装置１では、フィルタ１０ｂをセンサ本体１０ａの表面に装着した場合を例に挙げて説明したが、センサ本体１０ａと感熱紙１４との間に配設するようにしてもよい。
【図面の簡単な説明】
【００４１】
【図１】本発明の実施の形態に係るフォトプリンタ装置の側面図である。
【図２】同実施の形態において、図１に示すフォトプリンタ装置の上面図である。
【図３】同実施の形態において、フォトプリンタ装置の動作を説明するための側面図である。
【図４】同実施の形態において、フォトプリンタ装置の動作を説明するための上面図である。
【図５】同実施の形態において、フォトプリンタ装置のＣＣＤセンサによる感熱紙の端部の位置の検出を説明するための断面図である。
【図６】従来のフォトプリンタ装置の感熱紙の搬送方向と直交する方向に沿った一断面図である。
【図７】従来のフォトプリンタ装置のＣＣＤセンサによる感熱紙の端部の位置の検出を説明するための第１の断面図である。
【図８】従来のフォトプリンタ装置のＣＣＤセンサによる感熱紙の端部の位置の検出を説明するための第２の断面図である。
【図９】従来のフォトプリンタ装置によって感熱紙に印画された状態を示す平面図である。
【符号の説明】
【００４２】
１  フォトプリンタ装置、２  ガラス板、４  サーマルヘッド、６  イエローランプ、８  マゼンタランプ、９  ケース部材、１０  ＣＣＤセンサ、１０ａ  センサ本体、１０ｂ  フィルタ、１２  遮蔽板、１４  感熱紙。
【図１】
2005349649.tif 000003
【図２】
2005349649.tif 000004
【図３】
2005349649.tif 000005
【図４】
2005349649.tif 000006
【図５】
2005349649.tif 000007
【図６】
2005349649.tif 000008
【図７】
2005349649.tif 000009
【図８】
2005349649.tif 000010
【図９】
2005349649.tif 000011